(57)【要約】【課題】データベースに各個人の行先等を登録可能な行先設定システムに関し、データベースにおける行先の登録状況に応じて、適切な処理を行う行先設定システムを提供する。【解決手段】行先設定システム１は、行先設定装置３０、サーバ５０を有している。行先設定装置３０は、設定内容入力カード８０の無線タグ８１から、各種情報を取得する。取得した情報に基づく登録内容データをサーバ５０の行先登録データベース５５に登録する場合、行先設定装置３０は、個人識別情報、行先特定情報を含む登録内容データをサーバ５０に送信する。サーバ５０は、行先登録データベース５５における行先特定情報に係る行先の登録状況を確認する。そして、サーバ５０は、当該行先の登録状況に応じた制御信号を行先設定装置３０に送信する。当該制御信号を受信すると、行先設定装置３０は、設定状況ランプ３７の点灯態様により、当該行先の登録状況を報知する。【選択図】図１
2010055190.tif 000002
【特許請求の範囲】
【請求項１】
設定内容入力カードに格納されている情報を取得する情報取得手段と、
前記情報取得手段により取得した情報を保持する保持手段と、
前記情報取得手段により取得した情報が登録指示情報である場合に、前記保持手段に保持され、個人を特定可能な個人識別情報と、行先を特定可能な行先特定情報と、を含む行先設定情報を送信する第１通信手段と、
を有する行先設定装置と、
前記行先設定装置と送受信可能に接続された第２通信手段と、
前記行先設定情報を格納するデータベースと、
前記第２通信手段を介して取得した前記行先設定情報を、前記データベースに登録する登録手段と、
を有するサーバと、を備える行先設定システムにおいて、
前記保持手段に保持されている前記行先特定情報に基づいて、前記データベースにおける当該行先特定情報が示す行先に関する登録状況を確認する行先状況確認手段と、
前記行先状況確認手段による確認結果に基づいて、前記行先特定情報が示す行先に関する登録状況を報知する報知手段と、
を備えることを特徴とする行先設定システム。
【請求項２】
請求項１記載の行先設定システムにおいて、
前記設定内容入力カードは、前記行先へ向かう目的を示す行先目的情報を格納可能であり、
前記行先状況確認手段は、
前記行先へ向かう特定の目的を示す行先目的情報である特定目的情報が前記保持手段に保持されている場合に、前記情報取得手段により前記行先特定情報が取得されたことを条件に、当該行先特定情報により特定される行先に関する登録状況を確認し、
前記行先特定情報に基づき特定された行先の登録状況が未登録である場合にのみ、前記登録手段により、前記個人識別情報に基づき特定される個人の行先として、当該行先特定情報により特定される行先を前記データベースに登録する第１登録制御手段と、を備えることを特徴とする行先設定システム。
【請求項３】
請求項１又は請求項２記載の行先設定システムにおいて、
前記設定内容入力カードは、前記行先へ向かう目的を示す行先目的情報を格納可能であり、
前記データベースは、前記行先特定情報により特定可能な行先の夫々について、前記行先目的情報が示す目的に対する適性を示す適性情報を格納し、
前記行先目的情報が前記保持手段に保持されている場合に、前記情報取得手段により前記行先特定情報が取得されたことを条件に、前記行先特定情報に基づき特定される行先の適性情報と、前記保持手段に保持されている行先目的情報に基づいて、当該行先目的情報が示す目的について、前記行先特定情報が示す行先の適性を判断する適性判断手段と、
前記行先特定情報が示す行先が前記行先目的情報の示す目的に対する適性がある場合に、前記登録手段により、当該行先特定情報が示す行先と、当該行先目的情報が示す目的を前記データベースに登録し、
前記行先特定情報が示す行先が前記行先目的情報の示す目的に対する適性がない場合には、前記報知手段により、当該行先目的情報が示す目的に関して、当該行先特定情報が示す行先は不適当である旨を報知する第２登録制御手段と、を備えることを特徴とする行先設定システム。
【発明の詳細な説明】
【技術分野】
【０００１】
本発明は、データベースに各個人の行先等を登録可能な行先設定システムに関し、特に、データベースにおける行先の登録状況に応じて、適切な処理を行い得る行先設定システムに関する。
【背景技術】
【０００２】
従来、企業等においては、従業員等は、自己の行先をホワイトボード等に記入する。自己の行先を記入することにより、当該企業における第三者は、各従業員の所在を把握することができる。
【０００３】
ここで、企業等では、多様な分野で電子化が進んでいる。例えば、特許文献１には、会議室等の施設の予約に関するシステムが記載されている。この特許文献１記載の施設予約利用システムは、ホスト装置と、利用者側端末装置と、施設側端末装置と、をネットワークで接続して構成されている。そして、当該施設予約利用システムでは、利用者は、利用者側端末装置を操作することにより、所望の施設に関する利用予約をホスト装置のデータベースに登録する。
【特許文献１】特開２００２−１２３５８８号公報
【発明の開示】
【発明が解決しようとする課題】
【０００４】
電子化の進展に伴い、上記従業員等の行先（所在）等の分野においても、データベースに各従業員の行先等を登録可能なシステム（以下、行先設定システムという）の構築が要望されている。
ここで、特許文献１記載の施設予約システムでは、利用者端末装置は、所謂パーソナルコンピュータである。そして、施設利用者は、利用者端末装置が備えるディスプレイの表示から施設の予約状況等を把握し、予約に関する操作を行う。つまり、特許文献１記載の施設予約システムを行先設定システムに適用した場合、利用者（即ち、従業員等の行先を登録する者）は、必ずパーソナルコンピュータを用いて、自己の行先を登録しなければならない。
【０００５】
又、特許文献１記載の施設予約システムでは、利用者自らが、予約可能であるか、当該施設が自己の利用目的に適しているかを判断しなければならなかった。即ち、当該施設予約利用システムを行先設定システムに適用した場合、利用者（即ち、従業員等の行先を登録する者）は、設定しようとする行先が利用し得るか、設定する行先が行先へ向かう目的に適う行先であるかを、自ら判断しなければならない。
【０００６】
本発明は、前記従来における問題点を解消するためになされたものであり、データベースに各個人の行先等を登録可能な行先設定システムに関し、特に、データベースにおける行先の登録状況に応じて、適切な処理を行い得る行先設定システムを提供する。
【課題を解決するための手段】
【０００７】
前記課題を解決するために成された請求項１に係る行先設定システムは、設定内容入力カードに格納されている情報を取得する情報取得手段と、前記情報取得手段により取得した情報を保持する保持手段と、前記情報取得手段により取得した情報が登録指示情報である場合に、前記保持手段に保持され、個人を特定可能な個人識別情報と、行先を特定可能な行先特定情報と、を含む行先設定情報を送信する第１通信手段と、を有する行先設定装置と、前記行先設定装置と送受信可能に接続された第２通信手段と、前記行先設定情報を格納するデータベースと、前記第２通信手段を介して取得した前記行先設定情報を、前記データベースに登録する登録手段と、を有するサーバと、を備える行先設定システムにおいて、前記保持手段に保持されている前記行先特定情報に基づいて、前記データベースにおける当該行先特定情報が示す行先に関する登録状況を確認する行先状況確認手段と、前記行先状況確認手段による確認結果に基づいて、前記行先特定情報が示す行先に関する登録状況を報知する報知手段と、を備えることを特徴とする。
【０００８】
そして、請求項２記載の行先設定システムは、請求項１記載の行先設定システムにおいて、前記設定内容入力カードは、前記行先へ向かう目的を示す行先目的情報を格納可能であり、前記行先状況確認手段は、前記行先へ向かう特定の目的を示す行先目的情報である特定目的情報が前記保持手段に保持されている場合に、前記情報取得手段により前記行先特定情報が取得されたことを条件に、当該行先特定情報により特定される行先に関する登録状況を確認し、前記行先特定情報に基づき特定された行先の登録状況が未登録である場合にのみ、前記登録手段により、前記個人識別情報に基づき特定される個人の行先として、当該行先特定情報により特定される行先を前記データベースに登録する第１登録制御手段と、を備えることを特徴とする。
【０００９】
又、請求項３記載の行先設定システムは、請求項１又は請求項２記載の行先設定システムにおいて、前記設定内容入力カードは、前記行先へ向かう目的を示す行先目的情報を格納可能であり、前記データベースは、前記行先特定情報により特定可能な行先の夫々について、前記行先目的情報が示す目的に対する適性を示す適性情報を格納し、前記行先目的情報が前記保持手段に保持されている場合に、前記情報取得手段により前記行先特定情報が取得されたことを条件に、前記行先特定情報に基づき特定される行先の適性情報と、前記保持手段に保持されている行先目的情報に基づいて、当該行先目的情報が示す目的について、前記行先特定情報が示す行先の適性を判断する適性判断手段と、前記行先特定情報が示す行先が前記行先目的情報の示す目的に対する適性がある場合に、前記登録手段により、当該行先特定情報が示す行先と、当該行先目的情報が示す目的を前記データベースに登録し、前記行先特定情報が示す行先が前記行先目的情報の示す目的に対する適性がない場合には、前記報知手段により、当該行先目的情報が示す目的に関して、当該行先特定情報が示す行先は不適当である旨を報知する第２登録制御手段と、を備えることを特徴とする。
【発明の効果】
【００１０】
請求項１記載の行先設定システムは、行先設定装置と、サーバとを備えて構成される。行先設定装置は、情報取得手段により設定内容入力カードに格納されている情報を取得すると、当該情報を保持手段に保持する。そして、情報取得手段によって登録指示情報である場合、行先設定装置は、第１通信手段を介して、行先設定情報をサーバに送信する。この行先設定情報は、個人識別情報と、行先特定情報を含んでいる。
第１通信手段、第２通信手段を介して、行先設定情報を受信すると、サーバは、受信した行先設定情報をデータベースに登録する。これにより、データベースには、各人の行先に関する情報が登録される。従って、当該データベースの登録内容を参照すれば、ユーザは、各人の行先を把握し得る。
そして、当該行先設定システムは、行先状況確認手段により、保持手段に保持されている行先特定情報に係る行先について、データベースにおける登録状況を確認する。その後、当該行先設定システムは、報知手段により、前記行先状況確認手段による確認結果に基づいて、前記行先特定情報が示す行先に関する登録状況を報知する。従って、当該行先設定システムによれば、ユーザは、報知手段による報知に基づいて、自らが所望する行先の登録状況（例えば、既に他人が登録されているか否か等）を把握することができる。従って、ユーザは、所望の行先の登録状況に応じて、行先の変更等の適切な措置を講じることができる。
【００１１】
請求項２記載の行先設定システムは、請求項１記載の行先設定システムと同様に、ユーザによる行先の登録を行うことができる。又、当該行先設定システムは、行先特定情報が示す行先に関する登録状況を報知する。従って、請求項２記載の行先設定システムによっても、ユーザは、所望の行先の登録状況に応じた適切な措置を講じ得る。
更に、請求項２記載の行先設定システムにおいて、行先設定装置は、情報取得手段により、設定内容入力カードから行先目的情報を取得し得る。そして、行先目的情報の一つである特定目的情報が保持手段に保持されている場合に、情報取得手段によって行先特定情報を取得すると、当該行先設定システムは、行先状況確認手段により、データベースにおける当該行先特定情報に係る行先の登録状況を確認する。そして、当該行先設定システムは、第１登録制御手段により、前記行先特定情報に係る行先の登録状況が未登録である場合にのみ、個人識別情報が示す個人の行先として、当該行先特定情報により特定される行先をデータベースに登録する。
従って、請求項２記載の行先設定システムは、特定の目的である場合には、行先の登録状況が未登録であるときのみ、個人の行先として当該行先を登録する。即ち、当該行先設定システムは、この場合における行先の重複登録を防止し得る。
【００１２】
請求項３記載の行先設定システムは、請求項１、請求項２記載の行先設定システムと同様に、ユーザによる行先の登録を行うことができる。又、当該行先設定システムは、行先特定情報が示す行先に関する登録状況を報知する。従って、請求項３記載の行先設定システムによっても、ユーザは、所望の行先の登録状況に応じた適切な措置を講じ得る。
更に、請求項３記載の行先設定システムは、前記行先目的情報が前記保持手段に保持されている場合に、情報取得手段により設定内容入力カードから行先特定情報を取得すると、適性判断手段により、行先目的情報が示す目的に関する行先特定情報に係る行先の適性を判断する。具体的には、当該行先設定システムは、データベースに格納されている行先特定情報に係る行先の適性情報と、保持手段に保持されている行先目的情報に基づいて、当該行先の目的に対する適性を判断する。
そして、当該行先設定システムは、行先特定情報が示す行先が行先目的情報の示す目的に対する適性がある場合に、登録手段により、当該行先特定情報が示す行先と、当該行先目的情報が示す目的をデータベースに登録する。一方、行先特定情報が示す行先が行先目的情報の示す目的に対する適性がない場合、当該行先設定システムは、報知手段により、当該行先目的情報が示す目的に関して、当該行先特定情報が示す行先は不適当である旨を報知する。つまり、当該行先設定システムは、第２登録制御手段による制御を行うことにより、目的に応じた行先の登録を行う。従って、ユーザは、当該行先において、当該行先に向かう目的を達成し得る。又、当該行先設定システムは、目的に対する適性のない行先であることを報知手段により報知する。従って、ユーザは、目的に対応する行先へ変更する等、適切な措置をとることができる。
【発明を実施するための最良の形態】
【００１３】
以下、本発明に係る行先設定システムを具体化した実施形態について、図面を参照しつつ詳細に説明する。
先ず、本実施形態に係る行先設定システム１の概略構成について、図面を参照しつつ詳細に説明する。図１は、本実施形態に係る行先設定システム１の概略構成を示す説明図である。
【００１４】
図１に示すように、行先設定システム１は、行先設定装置３０と、サーバ５０と、パーソナルコンピュータ７０とを有している。そして、行先設定装置３０、サーバ５０、パーソナルコンピュータ７０は、夫々、通信ネットワークＮを介して、相互に接続されている。尚、図１においては、行先設定装置３０、パーソナルコンピュータ７０は、夫々一台のみ図示しているが、行先設定システム１は、行先設定装置３０、パーソナルコンピュータ７０をそれぞれ複数台備えている。
【００１５】
行先設定システム１を構成する行先設定装置３０は、サーバ５０に配設された行先登録データベース５５に自己の行先等を登録するユーザ（以下、登録ユーザという）が自己の行先等を登録する際に用いる装置である。
図２に示すように、行先設定装置３０は、無線タグリーダ３５と、設定状況ランプ３７と、を備えている。無線タグリーダ３５は、設定内容入力カード８０に配設されている無線タグ８１から情報を取得する（図４参照）。
【００１６】
図３に示すように、設定内容入力カード８０は、無線タグ８１を備えている。そして、本実施形態に係る行先設定システム１において、設定内容入力カード８０は、無線タグ８１に格納されている情報（無線タグ８１固有のＩＤ）に基づいて、複数種類に分類される。具体的には、設定内容入力カード８０は、「個人カード」「行先カード」「目的カード」「登録カード」「終了カード」を含んでいる。
【００１７】
「個人カード」は、当該カードの所有者個人を示す情報が無線タグ８１に格納されているカードである。具体的には、当該「個人カード」に配設された無線タグ８１の識別情報（即ち、ＩＤ）は、当該「個人カード」の所有者を示す情報（例えば、個人名）に対応付けられている（図６参照）。
【００１８】
「行先カード」は、登録ユーザが行先登録データベース５５に登録しようとする行先を示す情報が無線タグ８１に格納されているカードである。具体的には、当該「行先カード」に配設された無線タグ８１の識別情報は、行先設定システム１において、行先として登録可能な場所（例えば、「４０１会議室」等）に対応付けられている（図７参照）。
【００１９】
「目的カード」は、登録ユーザが行先へ向かう目的を示す情報が無線タグ８１に格納されているカードである。具体的には、当該「目的カード」に配設された無線タグ８１の識別情報は、行先に向かう目的（例えば、「会議」「来客」等）に対応付けられている（図８参照）。
【００２０】
「登録カード」は、サーバ５０の行先登録データベース５５への登録処理の実行を行先設定装置３０に指示する情報が無線タグ８１に格納されているカードである。そして、「終了カード」は、行先登録データベース５５に対する行先の登録に関する処理を終了することを示す情報が無線タグ８１に格納されているカードである。
【００２１】
即ち、本実施形態に係る行先設定システム１では、登録ユーザは、上記５種類の設定内容入力カード８０を用いて、行先設定装置３０に対する入力を行う。そして、行先設定システム１は、登録ユーザの入力結果に応じて、後述する行先登録データベース５５に対する行先の登録処理等を実行する。
【００２２】
図２に示すように、行先設定装置３０は、設定状況ランプ３７を有している。設定状況ランプ３７は、電源ランプ３７Ａ、個人ランプ３７Ｂ、行先ランプ３７Ｃ、空室ランプ３７Ｄ、目的ランプ３７Ｅ、登録ランプ３７Ｆにより構成される。
【００２３】
図１３に示すように、電源ランプ３７Ａは、行先設定装置３０の電源が投入されている場合に点灯する。個人ランプ３７Ｂは、行先設定装置３０に「個人カード」に基づく個人識別情報が入力された場合に点灯する。又、個人ランプ３７Ｂは、行先登録データベース５５に対する登録の際に、個人識別情報に関するエラーが発生した場合に点滅する。行先ランプ３７Ｃは、行先設定装置３０に「行先カード」に基づく行先特定情報が入力された場合に点灯する。又、行先ランプ３７Ｃは、行先登録データベース５５に対する登録の際に、行先特定情報に関するエラーが発生した場合に点滅する。空室ランプ３７Ｄは、行先特定情報を入力した際に、行先登録データベース５５において、当該行先特定情報に係る行先が未登録である場合に点灯する。目的ランプ３７Ｅは、行先設定装置３０に「目的カード」に基づく目的情報が入力された場合に点灯する。登録ランプ３７Ｆは、行先登録データベース５５に対する登録の可否を示す。具体的には、行先登録データベース５５に対する登録が成功した場合、登録ランプ３７Ｆは点灯する。そして、行先登録データベース５５に対する登録が失敗した場合、登録ランプ３７Ｆは点滅する。
【００２４】
このように、設定状況ランプ３７は、電源ランプ３７Ａ〜登録ランプ３７Ｆの点灯態様により、行先登録データベース５５に対する行先等の登録に関する状況を、登録ユーザに報知する。従って、登録ユーザは、設定状況ランプ３７の点灯態様に基づいて、自己の行先等の登録に関する状況を把握することができ、状況に応じた適切な対応を取り得る。
【００２５】
次に、本実施形態に係る行先設定システム１の制御系について、図面を参照しつつ詳細に説明する。図４は、行先設定システムの制御系を示すブロック図である。
図４に示すように、行先設定システム１を構成する行先設定装置３０は、コントローラ３１、無線タグリーダ３５、通信装置３６、設定状況ランプ３７を備えている。
【００２６】
コントローラ３１は、行先設定装置３０における制御を司る。コントローラ３１は、ＣＰＵ３２、ＲＯＭ３３、ＲＡＭ３４を有している。ＣＰＵ３２は、コントローラ３１による制御の中枢を担う中央演算装置である。ＣＰＵ３２は、行先設定装置３０に関する各種制御プログラムを実行する。具体的には、ＣＰＵ３２は、行先設定装置３０側のメイン制御プログラム（図９参照）、カード処理プログラム（図１０参照）、登録カード処理プログラム（図１１参照）、行先設定処理プログラム（図１２参照）を実行する。
【００２７】
ＲＯＭ３３は、行先設定装置３０における制御に必要な制御プログラムやデータテーブルを格納している。具体的には、ＲＯＭ３３は、上述したメイン制御プログラム等（図９〜図１２参照）を格納している。又、ＲＯＭ３３は、無線タグ８１から読みだした情報がどの情報（即ち、個人識別情報や行先特定情報等）かを判断するためのデータテーブルを格納している。
ＲＡＭ３４は、各種制御プログラムを実行した場合の演算結果等を一時的に格納する。又、ＲＡＭ３４は、無線タグリーダ３５により取得した設定内容入力カード８０の情報を一時的に格納する。又、ＲＡＭ３４は、後述するサーバ５０から送信された制御信号を一時的に格納する。
【００２８】
無線タグリーダ３５は、上述したように、設定内容入力カード８０に配設された無線タグ８１から、各種情報（即ち、個人識別情報、行先特定情報等）を読み出す。そして、当該無線タグリーダ３５は、コントローラ３１の制御に基づいて、無線タグ８１から取得した情報をＲＡＭ３４に格納する。
【００２９】
通信装置３６は、行先設定装置３０と、通信ネットワークＮを接続している。そして、通信装置３６は、コントローラ３１の制御に基づいて、サーバ５０から送信された制御信号等をＲＡＭ３４に格納する。
【００３０】
設定状況ランプ３７は、上述したように、電源ランプ３７Ａ〜登録ランプ３７Ｆにより構成されている。設定状況ランプ３７は、その点灯態様により、行先登録データベース５５に対する行先登録の状況を登録ユーザに報知する。設定状況ランプ３７の点灯態様は、サーバ５０からの制御信号等に基づいて、コントローラ３１により制御される。
【００３１】
そして、サーバ５０は、サーバコントローラ５１、行先登録データベース５５、サーバ通信装置５６を備えている。サーバコントローラ５１は、サーバ５０における制御を司る。サーバコントローラ５１は、サーバＣＰＵ５２、サーバＲＯＭ５３、サーバＲＡＭ５４を有している。サーバＣＰＵ５２は、サーバコントローラ５１による制御の中枢を担う中央演算装置である。サーバＣＰＵ５２は、サーバ５０に関する各種制御プログラムを実行する。具体的には、サーバＣＰＵ５２は、サーバ側のメイン制御プログラム（図１４参照）、行先状況確認処理プログラム（図１５参照）、適性判定登録処理プログラム（図１６参照）、会議招集行先登録処理プログラム（図１７参照）を実行する。
【００３２】
サーバＲＯＭ５３は、行先設定装置３０における制御に必要な制御プログラムやデータテーブルを格納している。具体的には、サーバＲＯＭ５３は、上述したメイン制御プログラム等（図１４〜図１７参照）を格納している。
サーバＲＡＭ５４は、各種制御プログラムを実行した場合の演算結果等を一時的に格納する。又、サーバＲＡＭ５４は、行先設定装置３０から送信された登録内容データや取得行先データを一時的に格納する。登録内容データ、取得行先データについては、後述する。
【００３３】
行先登録データベース５５は、各登録ユーザの行先が登録されるデータベースである。従って、行先登録データベース５５は、登録ユーザ毎に、行先特定情報に基づく行先を示す情報を格納する（図５参照）。更に、行先登録データベース５５は、登録ユーザ毎に、行先に向かう目的を示す情報を格納することも可能である（図５参照）。この目的に関する情報は付加的なものである。
【００３４】
又、行先登録データベース５５は、個人特定記憶エリア、行先適性記憶エリア、目的要求適性記憶エリアを有している。
個人特定記憶エリアは、「個人カード」の無線タグ８１から取得される個人識別情報（即ち、「個人カード」の無線タグ８１のＩＤ）と、当該「個人カード」を所有する登録ユーザの氏名を対応付けて記憶している（図６参照）。従って、個人識別情報を取得すれば、サーバＣＰＵ５２は、行先登録データベース５５の個人特定記憶エリアを参照することにより、登録ユーザ個人を特定し得る。
【００３５】
行先適性記憶エリアは、「行先カード」の無線タグ８１から取得される行先特定情報（即ち、「行先カード」の無線タグ８１のＩＤ）と、行先として指定可能な場所等を示す行先名を対応付けて記憶している（図７参照）。従って、行先特定情報を取得すれば、サーバＣＰＵ５２は、行先登録データベース５５の行先適性記憶エリアを参照することにより、登録ユーザが登録を希望する行先を特定し得る。
【００３６】
又、図７に示すように、行先適性記憶エリアは、夫々の行先名に対して、所定の目的に対する適性を対応付けて記憶している。所定の目的に対する適性とは、当該所定の目的を達成に適しているか否かを示す。つまり、行先名に係る場所が、当該所定の目的に係る用途に耐えうるか否かを示す。具体的には、当該行先適性記憶エリアは、行先名毎に、「会議適性」「来客適性」「電話会議適性」を記憶している。「会議適性」は、当該行先が会議目的の使用に適しているか否かを示す。「来客適性」は、当該行先が来客に応対する目的の使用に適しているか否かを示す。「電話会議適性」は、当該行先が電話会議目的の使用に適しているか否かを示す。例えば、図７に示すように、「行先名：４０１会議室」は、「会議適性」「来客適性」を有している。従って、当該「４０１会議室」は、企業内における会議目的で使用可能であり、来客に対する応接室として使用し得る。各行先の目的に対する適性は、後述する適性判定登録処理（Ｓ１１３）で参照される。
【００３７】
目的要求適性記憶エリアは、「目的カード」の無線タグ８１から取得される目的情報（即ち、「目的カード」の無線タグ８１のＩＤ）と、行先へ向かう目的等を示す目的名を対応付けて記憶している（図８参照）。従って、目的情報を取得すれば、サーバＣＰＵ５２は、行先登録データベース５５の目的要求適性記憶エリアを参照することにより、登録ユーザが登録を希望する目的を特定し得る。
【００３８】
又、図８に示すように、目的要求適性記憶エリアは、夫々の目的名に対して、行先に対して要求される適性（以下、適性要求という）を対応付けて記憶している。つまり、適性要求とは、当該目的を達成するために行先が備えているべき条件を示す。
具体的には、当該目的要求適性記憶エリアは、目的名毎に、「会議適性要求」「来客適性要求」「電話会議適性要求」を記憶している。「会議適性要求」は、当該目的を達成するために、行先に「会議適性」を要求するか否かを示す。
「来客適性要求」は、当該目的を達成するために、行先に「来客適性」を要求するか否かを示す。「電話会議適性要求」は、当該目的を達成するために、行先に、「電話会議適性」を要求するか否かを示す。例えば、図８に示すように、「目的名：電話会議」は、「会議適性要求」「電話会議適性要求」を有している。従って、「目的名：電話会議」は、行先が会議に使用可能であり、且つ、電話会議に関する設備を有していることを要求する。各目的の行先に対する適性要求は、後述する適性判定登録処理（Ｓ１１３）で参照される。
【００３９】
図４に戻り、サーバ５０の構成について、再び説明する。サーバ通信装置５６は、サーバ５０と、通信ネットワークＮを接続している。そして、サーバ通信装置５６は、サーバコントローラ５１の制御に基づいて、行先設定装置３０から送信された登録内容データや取得行先データ等をＲＡＭ３４に格納する。
【００４０】
そして、行先設定システム１は、パーソナルコンピュータ７０を有している。当該パーソナルコンピュータ７０は、通信ネットワークＮに接続されている。又、パーソナルコンピュータ７０は、液晶ディスプレイ７１を有している。従って、パーソナルコンピュータ７０は、通信ネットワークＮを介して、サーバ５０の行先登録データベース５５を参照することができる。行先登録データベース５５の登録内容を液晶ディスプレイ７１に表示させることにより、当該行先設定システム１は、各個人の行先登録状況を把握し得る。
【００４１】
続いて、行先設定システム１を構成する行先設定装置３０のメイン制御プログラムについて、図面を参照しつつ詳細に説明する。図９は、行先設定装置３０のメイン制御プログラムのフローチャートである。
【００４２】
当該メイン制御プログラムの実行を開始すると、ＣＰＵ３２は、まず、初期設定処理を実行する（Ｓ１）。この初期設定処理（Ｓ１）では、ＣＰＵ３２は、各種周辺機器の初期化及びＲＡＭ３４の記憶内容の初期化を行う。初期設定処理（Ｓ１）を終了すると、ＣＰＵ３２は、Ｓ２に処理を移行する。
【００４３】
Ｓ２においては、ＣＰＵ３２は、無線タグリーダ３５の検知範囲において、無線タグ８１を検出したか否かを判断する。即ち、ＣＰＵ３２は、登録ユーザにより設定内容入力カード８０が所定位置にかざされたか否かを判断する。無線タグ８１を検出した場合（Ｓ２：ＹＥＳ）、ＣＰＵ３２は、Ｓ３に処理を移行する。一方、無線タグ８１を検出していない場合（Ｓ２：ＮＯ）、ＣＰＵ３２は、無線タグデータ読取処理（Ｓ３）に処理を移行する。
【００４４】
Ｓ３では、ＣＰＵ３２は、無線タグデータ読取処理を実行する。この無線タグデータ読取処理（Ｓ３）では、ＣＰＵ３２は、無線タグリーダ３５を制御し、検出範囲にある設定内容入力カード８０の無線タグ８１に格納されている情報を取得する。この無線タグデータ読取処理（Ｓ３）により、ＲＡＭ３４には、「個人カード」「行先カード」「目的カード」「登録カード」「終了カード」のいずれかの無線タグ８１から読み取られた情報が格納される。無線タグデータ読取処理（Ｓ３）を終了すると、ＣＰＵ３２は、Ｓ４に処理を移行する。
【００４５】
Ｓ４においては、ＣＰＵ３２は、行先設定装置３０にかざされた設定内容入力カード８０が「終了カード」であるか否かを判断する。具体的には、ＣＰＵ３２は、ＲＡＭ３４を参照し、無線タグデータ取得処理（Ｓ３）で取得した情報の種別に基づいて、Ｓ４の判断を行う。「終了カード」が行先設定装置３０にかざされた場合（Ｓ４：ＹＥＳ）、ＣＰＵ３２は、終了処理（Ｓ５）に処理を移行する。一方、「終了カード」が行先設定装置３０にかざされていない場合（Ｓ４：ＮＯ）、ＣＰＵ３２は、カード処理（Ｓ６）に処理を移行する。
【００４６】
Ｓ５に移行すると、ＣＰＵ３２は、終了処理を実行する。この終了処理（Ｓ５）では、ＣＰＵ３２は、今回の行先登録を終了するための処理を実行する。具体的には、ＣＰＵ３２は、無線タグデータ読取処理（Ｓ３）で無線タグ８１から取得した情報（例えば、個人識別情報、行先特定情報、目的情報等）をＲＡＭ３４から消去する。終了処理（Ｓ５）を実行した後、ＣＰＵ３２は、メイン制御プログラムを終了する。
尚、メイン制御プログラムを終了すると、ＣＰＵ３２は、再度、メイン制御プログラムの実行を開始する。これにより、行先設定装置３０は、電源が投入されている間、登録ユーザによる行先登録を受け付ける。
【００４７】
Ｓ６では、ＣＰＵ３２は、カード処理を実行する。このカード処理（Ｓ６）では、ＣＰＵ３２は、行先設定装置３０にかざされた設定内容入力カード８０の種類に応じた処理を実行する。そして、このカード処理（Ｓ６）においては、ＣＰＵ３２は、後述するカード処理プログラム（図１０参照）を実行する。カード処理（Ｓ６）の詳細については、後に詳細に説明する。カード処理（Ｓ６）を終了すると、ＣＰＵ３２は、Ｓ２に処理を戻す。
【００４８】
次に、カード処理（Ｓ６）で実行されるカード処理プログラムについて、図面を参照しつつ詳細に説明する。図１０は、カード処理プログラムのフローチャートである。
カード処理（Ｓ６）に移行すると、ＣＰＵ３２は、まず、行先設定装置３０にかざされた設定内容入力カード８０が「登録カード」であるか否かを判断する（Ｓ１１）。具体的には、ＣＰＵ３２は、ＲＡＭ３４を参照し、無線タグデータ読取処理（Ｓ３）で取得した情報の種別に基づいて、Ｓ１１の判断処理を行う。「登録カード」である場合（Ｓ１１：ＹＥＳ）、ＣＰＵ３２は、登録カード処理（Ｓ１２）に処理を移行する。一方、「登録カード」でない場合（Ｓ１１：ＮＯ）、ＣＰＵ３２は、Ｓ１３に処理を移行する。
【００４９】
Ｓ１２においては、ＣＰＵ３２は、登録カード処理を実行する。この登録カード処理（Ｓ１２）では、ＣＰＵ３２は、登録カード処理プログラム（図１１参照）を実行する。これにより、ＣＰＵ３２は、行先登録データベース５５に対する登録を要求するデータ（以下、登録内容データという）のサーバ５０への送信、登録ユーザに対する行先登録データベース５５における登録状況の報知を行う。登録カード処理（Ｓ６）の詳細については、後に詳細に説明する。登録カード処理（Ｓ６）を終了すると、ＣＰＵ３２は、カード処理プログラムを終了する。
【００５０】
Ｓ１３では、ＣＰＵ３２は、行先設定装置３０にかざされた設定内容入力カード８０が「目的カード」であるか否かを判断する。具体的には、ＣＰＵ３２は、ＲＡＭ３４を参照し、無線タグデータ読取処理（Ｓ３）で取得した情報の種別に基づいて、Ｓ１３の判断処理を行う。「目的カード」である場合（Ｓ１３：ＹＥＳ）、ＣＰＵ３２は、目的設定処理（Ｓ１４）に処理を移行する。一方、「目的カード」でない場合（Ｓ１３：ＮＯ）、ＣＰＵ３２は、Ｓ１５に処理を移行する。
【００５１】
Ｓ１４に移行すると、ＣＰＵ３２は、目的設定処理を実行する。この目的設定処理（Ｓ１４）では、ＣＰＵ３２は、「目的カード」の無線タグ８１から読み取られた目的情報を、登録内容データに付加する。上述したように、登録内容データは、登録カード処理（Ｓ１２）において、サーバ５０に対して送信される。従って、付加された目的情報は、サーバ５０に送信される。この時、ＣＰＵ３２は、目的ランプ３７Ｅを点灯させる。目的設定処理（Ｓ１４）を終了すると、ＣＰＵ３２は、カード処理プログラムを終了する。
【００５２】
Ｓ１５においては、ＣＰＵ３２は、行先設定装置３０にかざされた設定内容入力カード８０が「個人カード」であるか否かを判断する。具体的には、ＣＰＵ３２は、ＲＡＭ３４を参照し、無線タグデータ読取処理（Ｓ３）で取得した情報の種別に基づいて、Ｓ１５の判断処理を行う。「個人カード」である場合（Ｓ１５：ＹＥＳ）、ＣＰＵ３２は、個人設定処理（Ｓ１６）に処理を移行する。一方、「個人カード」でない場合（Ｓ１５：ＮＯ）、ＣＰＵ３２は、Ｓ１７に処理を移行する。
【００５３】
Ｓ１６では、ＣＰＵ３２は、個人設定処理を実行する。この個人設定処理（Ｓ１６）では、ＣＰＵ３２は、「個人カード」の無線タグ８１から読み取られた個人識別情報を登録内容データに付加する。上述したように、登録内容データは、登録カード処理（Ｓ１２）において、サーバ５０に対して送信される。従って、付加された個人特定情報は、サーバ５０に送信される（Ｓ１２）。この時、ＣＰＵ３２は、個人ランプ３７Ｂを点灯させる。個人設定処理（Ｓ１６）を終了すると、ＣＰＵ３２は、カード処理プログラムを終了する。
【００５４】
Ｓ１７に移行すると、ＣＰＵ３２は、行先設定装置３０にかざされた設定内容入力カード８０が「行先カード」であるか否かを判断する。具体的には、ＣＰＵ３２は、ＲＡＭ３４を参照し、無線タグデータ読取処理（Ｓ３）で取得した情報の種別に基づいて、Ｓ１７の判断処理を行う。「行先カード」である場合（Ｓ１７：ＹＥＳ）、ＣＰＵ３２は、行先設定処理（Ｓ１８）に処理を移行する。一方、「行先カード」でない場合（Ｓ１３：ＮＯ）、ＣＰＵ３２は、エラー報知処理（Ｓ１９）に処理を移行する。
【００５５】
Ｓ１８においては、ＣＰＵ３２は、行先設定処理を実行する。この行先設定処理（Ｓ１８）では、ＣＰＵ３２は、行先設定処理プログラム（図１２）を実行する。具体的には、ＣＰＵ３２は、「行先カード」の無線タグ８１から読み取られた行先特定情報に関する処理を実行する。行先設定処理（Ｓ１８）の詳細については、後に詳細に説明する。行先設定処理（Ｓ１８）を終了すると、ＣＰＵ３２は、カード処理プログラムを終了する。
【００５６】
Ｓ１９では、ＣＰＵ３２は、エラー報知処理を実行する。このエラー報知処理（Ｓ１９）に移行する場合とは、行先設定装置３０の無線タグリーダ３５が、設定内容入力カード８０の無線タグ８１の情報を取得した場合である。この場合、行先登録に関する処理を行うことはできないので、ＣＰＵ３２は、登録ユーザに対して、エラーを報知する。具体的には、ＣＰＵ３２は、電源ランプ３７Ａ〜登録ランプ３７Ｆを全て点滅する。エラー報知処理（Ｓ１９）を終了すると、ＣＰＵ３２は、カード処理プログラムを終了する。
【００５７】
次に、登録カード処理（Ｓ１２）で実行される登録カード処理プログラムについて、図面を参照しつつ詳細に説明する。図１１は、登録カード処理プログラムのフローチャートである。
【００５８】
登録カード処理（Ｓ１２）に移行すると、ＣＰＵ３２は、まず、登録内容データ送信処理を実行する（Ｓ２１）。登録内容データ送信処理（Ｓ２１）では、ＣＰＵ３２は、通信装置３６を介して、ＲＡＭ３４に格納されている登録内容データをサーバ５０へ送信する。上述したように、登録内容データは、個人識別情報、行先特定情報、目的情報を含みうる。登録内容データをサーバ５０に送信すると、ＣＰＵ３２は、Ｓ２２に処理を移行する。
【００５９】
Ｓ２２に移行すると、ＣＰＵ３２は、サーバ５０から制御信号を受信したか否かについて判断する。この制御信号は、登録内容データを受信したサーバ５０が行先登録データベース５５に対する登録処理を行う際に発する信号である。そして、当該制御信号は、当該登録処理に関する状況を示す。この点については、後述する。制御信号を受信した場合（Ｓ２２：ＹＥＳ）、ＣＰＵ３２は、Ｓ２３に処理を移行する。一方、制御信号を受信していない場合（Ｓ２２：ＮＯ）、ＣＰＵ３２は、サーバ５０から制御信号を受信するまで処理を待機する。
【００６０】
Ｓ２３においては、ＣＰＵ３２は、受信した制御信号が行先設定エラー信号であるか否かを判断する。この行先設定エラー信号は、登録内容データ送信処理（Ｓ２１）で送信した登録内容データにおける行先の設定にエラーが生じていることを示す。受信した制御信号が行先設定エラー信号である場合（Ｓ２３：ＹＥＳ）、ＣＰＵ３２は、Ｓ２４に処理を移行する。一方、受信した制御信号が行先設定エラー信号でない場合（Ｓ２３：ＮＯ）、ＣＰＵ３２は、Ｓ２５に処理を移行する。
【００６１】
Ｓ２４では、ＣＰＵ３２は、行先設定初期化処理を実行する。この行先設定初期化処理（Ｓ２４）では、ＣＰＵ３２は、ＲＡＭ３４に格納されている登録内容データに含まれる行先特定情報を消去（即ち、初期化）する。これにより、登録内容データには、行先特定情報が存在しない状態となる。又、ＣＰＵ３２は、「行先カード」から取得した情報をＲＡＭ３４から消去する。行先設定初期化処理（Ｓ２４）を終了すると、ＣＰＵ３２は、Ｓ２５に処理を移行する。
【００６２】
Ｓ２５に移行すると、ＣＰＵ３２は、登録状況報知処理を実行する。登録状況報知処理（Ｓ２５）では、ＣＰＵ３２は、サーバ５０から送信された制御信号に基づいて、設定状況ランプ３７の点灯態様を制御する（図１３参照）。登録状況報知処理（Ｓ２５）を終了すると、ＣＰＵ３２は、登録カード処理プログラムを終了する。
上述したように、制御信号は、登録内容データに関する登録処理の状況を示す。従って、ＣＰＵ３２は、制御信号に基づいて、図１３に示す点灯態様で設定状況ランプ３７を点灯することにより、登録内容データに関する登録処理の状況を報知し得る。この結果、登録ユーザは、当該登録処理の状況に応じて、適切な措置（例えば、行先の変更等）を講じることができる。
【００６３】
続いて、行先設定処理（Ｓ１８）で実行される行先設定処理プログラムについて、図面を参照しつつ詳細に説明する。図１２は、行先設定処理プログラムのフローチャートである。
【００６４】
行先設定処理（Ｓ１８）に移行すると、ＣＰＵ３２は、取得行先データ送信処理（Ｓ３１）を実行する。取得行先データは、無線タグデータ読取処理（Ｓ３）で、「行先カード」の無線タグ８１から取得した行先特定情報である。取得行先データ送信処理（Ｓ３１）では、ＣＰＵ３２は、まず、取得行先データをＲＡＭ３４から読み出す。そして、ＣＰＵ３２は、通信装置３６を介して、当該収録行先データをサーバ５０へ送信する。取得行先データ送信処理（Ｓ３１）を終了すると、ＣＰＵ３２は、Ｓ３２に処理を移行する。
【００６５】
ここで、取得行先データを受信したサーバ５０において、サーバＣＰＵ５２は、行先状況確認処理（Ｓ１０２）を実行する。この行先状況確認処理（Ｓ１０２）では、サーバＣＰＵ５２は、行先登録データベース５５を参照することにより、取得行先データが示す行先の登録状況（即ち、登録済であるか、空室であるか）を判断する。そして、サーバＣＰＵ５２は、当該判断結果に応じた制御信号を行先設定装置３０へ送信する。
【００６６】
Ｓ３２に移行すると、ＣＰＵ３２は、制御信号受信処理を実行する。この制御信号受信処理（Ｓ３２）では、ＣＰＵ３２は、行先状況確認処理（Ｓ１０２）においてサーバ５０から送信される制御信号を受信する。受信した制御信号をＲＡＭ３４に格納した後、ＣＰＵ３２は、Ｓ３３に処理を移行する。
【００６７】
Ｓ３３においては、ＣＰＵ３２は登録状況報知処理を実行する。この登録状況報知処理（Ｓ３３）では、ＣＰＵ３２は、制御信号受信処理（Ｓ３２）で受信した制御信号（即ち、空室信号又は登録済信号）に基づいて、設定状況ランプ３７の点灯態様を制御する。具体的には、ＣＰＵ３２は、行先ランプ３７Ｃと、空室ランプ３７Ｄの点灯態様を制御する（図１３参照）。これにより、設定状況ランプ３７の点灯態様に基づいて、登録ユーザは、登録を希望する行先の登録状況を把握し得る。これにより、登録ユーザは、当該行先の登録状況に応じた措置（例えば、行先の変更等）を講じることができる。登録状況報知処理（Ｓ３３）を終了すると、ＣＰＵ３２は、行先設定処理プログラムを終了する。
【００６８】
次に、行先設定システム１を構成するサーバ５０のメイン制御プログラムについて、図面を参照しつつ詳細に説明する。図１４は、サーバ５０のメイン制御プログラムのフローチャートである。
【００６９】
当該メイン制御プログラムの実行を開始すると、サーバＣＰＵ５２は、まず、取得行先データを行先設定装置３０から受信したか否かを判断する（Ｓ１０１）。上述したように、取得行先データは、行先設定処理（Ｓ１８）において、行先設定装置３０からサーバ５０へ送信される。取得行先データを受信した場合（Ｓ１０１：ＹＥＳ）、サーバＣＰＵ５２は、Ｓ１０２に処理を移行する。一方、取得行先データを受信しなかった場合（Ｓ１０１：ＮＯ）、サーバＣＰＵ５２は、Ｓ１０３に処理を移行する。
【００７０】
Ｓ１０２においては、サーバＣＰＵ５２は、行先状況確認処理を実行する。行先状況確認処理（Ｓ１０２）では、サーバＣＰＵ５２は、行先状況確認処理プログラムを実行する。そして、行先状況確認処理（Ｓ１０２）において、サーバＣＰＵ５２は、取得行先データが示す行先を特定する。その後、サーバＣＰＵ５２は、行先登録データベース５５を参照し、特定した行先の登録状況（即ち、空室又は登録済）を確認する。当該行先の登録状況に応じて、サーバＣＰＵ５２は、行先設定装置３０に対して制御信号（即ち、後述する空室信号又は登録済信号）を送信する。行先状況確認処理（Ｓ１０２）の詳細については後述する。行先状況確認処理（Ｓ１０２）を終了すると、サーバＣＰＵ５２は、Ｓ１０３に処理を移行する。
【００７１】
Ｓ１０３では、サーバＣＰＵ５２は、登録内容データ受信処理を実行する。上述したように、登録内容データは、登録カード処理（Ｓ１２）で、行先設定装置３０からサーバ５０へ送信されるデータである。そして、当該登録内容データは、個人識別情報、行先特定情報、目的情報を含みうる。登録内容データ受信処理（Ｓ１０３）では、サーバＣＰＵ５２は、サーバ通信装置５６を介して受信した登録内容データを、サーバＲＡＭ５４に格納する。登録内容データ受信処理（Ｓ１０３）を終了すると、サーバＣＰＵ５２は、Ｓ１０４に処理を移行する。
【００７２】
Ｓ１０４に移行すると、サーバＣＰＵ５２は、登録内容データに個人識別情報が含まれているか否かを判断する。サーバＣＰＵ５２は、ＲＡＭ３４に格納されている登録内容データに基づいて、Ｓ１０４の判断処理を行う。登録内容データに個人識別情報が含まれている場合（Ｓ１０４：ＹＥＳ）、サーバＣＰＵ５２は、Ｓ１０６に処理を移行する。一方、登録内容データに個人識別情報が含まれていない場合（Ｓ１０４：ＮＯ）、サーバＣＰＵ５２は、Ｓ１０５に処理を移行する。
【００７３】
Ｓ１０５においては、サーバＣＰＵ５２は、個人設定エラー信号送信処理を実行する。ここで、行先登録データベース５５に対する行先の登録には、登録ユーザ自身を特定すること及び行先を特定することが必要である。即ち、登録内容データは、個人識別情報と、行先特定情報を含んでいる必要がある。Ｓ１０５に移行する場合は、登録に必要な個人識別情報が不足している場合である。従って、個人設定エラー信号送信処理（Ｓ１０５）では、サーバＣＰＵ５２は、個人設定エラー信号を行先設定装置３０に送信する。個人設定エラー信号は、登録内容データに基づく行先の登録に際し、個人識別情報に基づくエラー（例えば、個人識別情報の欠如）を示す。個人設定エラー信号を送信すると、サーバＣＰＵ５２は、メイン制御処理プログラムを終了する。メイン制御プログラムを終了すると、サーバＣＰＵ５２は、再度、メイン制御プログラムの実行を開始する。
【００７４】
制御信号の一つである当該個人設定エラー信号を受信すると、行先設定装置３０のＣＰＵ３２は、設定状況ランプ３７の点灯態様を制御し、個人識別情報に関するエラーが生じていることを登録ユーザに報知する。具体的には、ＣＰＵ３２は、個人ランプ３７Ｂと登録ランプ３７Ｆを点滅させる。これにより、登録ユーザは、個人識別情報の再入力等の適切な措置を行い得る。
【００７５】
Ｓ１０６では、サーバＣＰＵ５２は、登録内容データに行先特定情報が含まれているか否かを判断する。サーバＣＰＵ５２は、ＲＡＭ３４に格納されている登録内容データに基づいて、Ｓ１０６の判断処理を行う。登録内容データに行先特定情報が含まれている場合（Ｓ１０６：ＹＥＳ）、サーバＣＰＵ５２は、Ｓ１０８に処理を移行する。一方、登録内容データに行先特定情報が含まれていない場合（Ｓ１０６：ＮＯ）、サーバＣＰＵ５２は、Ｓ１０７に処理を移行する。
【００７６】
Ｓ１０７に移行すると、サーバＣＰＵ５２は、行先設定エラー信号送信処理を実行する。上述したように、登録内容データは、個人識別情報と、行先特定情報を含んでいる必要がある。Ｓ１０７に移行する場合は、登録に必要な行先特定情報が不足している場合である。従って、行先設定エラー信号送信処理（Ｓ１０７）では、サーバＣＰＵ５２は、行先設定エラー信号を行先設定装置３０に送信する。行先設定エラー信号は、登録内容データに基づく行先の登録に際し、行先特定情報に基づくエラー（例えば、行先特定情報の欠如）を示す。行先設定エラー信号を送信すると、サーバＣＰＵ５２は、メイン制御処理プログラムを終了する。メイン制御プログラムを終了すると、サーバＣＰＵ５２は、再度、メイン制御プログラムの実行を開始する。
【００７７】
制御信号の一つである当該行先設定エラー信号を受信すると、行先設定装置３０のＣＰＵ３２は、設定状況ランプ３７の点灯態様を制御し、行先特定情報に関するエラーが生じていることを登録ユーザに報知する。具体的には、ＣＰＵ３２は、行先ランプ３７Ｃと登録ランプ３７Ｆを点滅させる。これにより、登録ユーザは、行先特定情報の再入力等の適切な措置を行い得る。
【００７８】
Ｓ１０８においては、サーバＣＰＵ５２は、登録内容データに目的情報が含まれているか否かを判断する。サーバＣＰＵ５２は、ＲＡＭ３４に格納されている登録内容データに基づいて、Ｓ１０８の判断処理を行う。登録内容データに目的情報が含まれている場合（Ｓ１０８：ＹＥＳ）、サーバＣＰＵ５２は、Ｓ１１１に処理を移行する。一方、登録内容データに目的情報が含まれていない場合（Ｓ１０８：ＮＯ）、サーバＣＰＵ５２は、Ｓ１０９に処理を移行する。
【００７９】
Ｓ１０９では、サーバＣＰＵ５２は、データベース更新処理を実行する。データベース更新処理（Ｓ１０９）では、サーバＣＰＵ５２は、登録内容データに含まれる個人識別情報、行先特定情報に基づいて、行先登録データベース５５における個人識別情報に係る登録ユーザの行先を更新する。これにより、登録ユーザが希望する登録内容（行先）は、行先登録データベース５５に登録される。データベース更新処理（Ｓ１０９）を終了すると、サーバＣＰＵ５２は、Ｓ１１０に処理を移行する。
【００８０】
Ｓ１１０に移行すると、サーバＣＰＵ５２は、登録信号送信処理を実行する。登録信号送信処理（Ｓ１１０）では、サーバＣＰＵ５２は、データベース更新処理（Ｓ１０９）の実行に伴い、登録信号を行先設定装置３０に送信する。登録信号は、登録内容データに基づく登録に成功したことを示す制御信号である。登録信号を送信した後、サーバＣＰＵ５２は、メイン制御処理プログラムを終了する。メイン制御プログラムを終了すると、サーバＣＰＵ５２は、再度、メイン制御プログラムの実行を開始する。
【００８１】
制御信号の一つである登録信号を受信すると、行先設定装置３０のＣＰＵ３２は、設定状況ランプ３７の点灯態様を制御し、登録内容データに基づく登録に成功したことを登録ユーザに報知する。具体的には、ＣＰＵ３２は、登録ランプ３７Ｆを点灯させる（図１３参照）。これにより、登録ユーザは、所望の内容が行先登録データベース５５に登録されたことを確実に把握し得る。
【００８２】
Ｓ１１１においては、サーバＣＰＵ５２は、登録内容データに含まれる目的情報に係る目的が「会議招集」であるか否かを判断する。具体的には、サーバＣＰＵ５２は、登録内容データの目的情報と、行先登録データベース５５の目的要求適性記憶エリア（図８参照）に基づいて、Ｓ１１１の判断処理を行う。当該目的情報に係る目的が「会議招集」である場合（Ｓ１１１：ＹＥＳ）、サーバＣＰＵ５２は、Ｓ１１２に処理を移行する。一方、当該目的情報に係る目的が「会議招集」でない場合（Ｓ１１１：ＮＯ）、サーバＣＰＵ５２は、Ｓ１１３に処理を移行する。
【００８３】
Ｓ１１２では、サーバＣＰＵ５２は、会議招集行先登録処理を実行する。会議招集行先登録処理（Ｓ１１２）では、サーバＣＰＵ５２は、会議招集行先登録処理プログラム（図１７参照）を実行する。会議招集行先登録処理（Ｓ１１２）の内容については、後に詳細に説明する。会議招集行先登録処理（Ｓ１１２）を終了すると、サーバＣＰＵ５２は、当該メイン制御プログラムを終了する。その後、サーバＣＰＵ５２は、再度、当該メイン制御プログラムの実行を開始する。
【００８４】
Ｓ１１３に移行すると、サーバＣＰＵ５２は、適性判定登録処理を実行する。適性判定登録処理（Ｓ１１３）においては、サーバＣＰＵ５２は、適性判定登録処理プログラム（図１６参照）を実行する。適性判定登録処理（Ｓ１１３）の内容については、後に詳細に説明する。適性判定登録処理（Ｓ１１３）を終了すると、サーバＣＰＵ５２は、当該メイン制御プログラムを終了する。その後、サーバＣＰＵ５２は、再度、当該メイン制御プログラムの実行を開始する。
【００８５】
次に、行先状況確認処理（Ｓ１０２）で実行される行先状況確認処理プログラムについて、図面を参照しつつ詳細に説明する。図１５は、行先状況確認処理プログラムのフローチャートである。
【００８６】
行先状況確認処理（Ｓ１０２）に移行すると、サーバＣＰＵ５２は、行先登録参照処理を実行する（Ｓ１２１）。行先登録参照処理（Ｓ１２１）では、サーバＣＰＵ５２は、行先設定装置３０から送信された取得行先データと、行先適性記憶エリア（図７参照）に基づいて、取得行先データが示す行先を特定する。そして、サーバＣＰＵ５２は、行先登録データベース５５を参照し、特定された行先の登録状況を確認する。行先登録参照処理（Ｓ１２１）を終了すると、サーバＣＰＵ５２は、Ｓ１２２に処理を移行する。
【００８７】
Ｓ１２２では、サーバＣＰＵ５２は、取得行先データに係る行先の登録状況が空室であるか否かを判断する。具体的には、サーバＣＰＵ５２は、行先登録参照処理（Ｓ１２１）の処理結果に基づいて、Ｓ１２２の判断処理を行う。ここで、「空室」とは、取得行先データに係る行先が誰の行先にも登録されていない状態をいう。そして、「登録済」とは、取得行先データに係る行先が誰かの行先として登録されている状態をいう。取得行先データに係る行先の登録状況が「空室」である場合（Ｓ１２２：ＹＥＳ）、サーバＣＰＵ５２は、Ｓ１２３に処理を移行する。一方、取得行先データに係る行先の登録状況が「登録済」である場合（Ｓ１２２：ＮＯ）、サーバＣＰＵ５２は、Ｓ２４に処理を移行する。
【００８８】
Ｓ１２３においては、サーバＣＰＵ５２は、空室信号送信処理を実行する。空室信号は、制御信号の一つであり、取得行先データに係る行先の登録状況が「空室」であることを示す。空室信号送信処理（Ｓ１２３）では、サーバＣＰＵ５２は、サーバ通信装置５６を介して、当該空室信号を行先設定装置３０に送信する。空室信号送信処理（Ｓ１２３）を終了すると、サーバＣＰＵ５２は、行先状況確認処理プログラムを終了する。
【００８９】
ここで、空室信号を受信すると、ＣＰＵ３２は、設定状況ランプ３７の点灯態様を制御する。即ち、登録状況報知処理（Ｓ３３）において、ＣＰＵ３２は、行先ランプ３７Ｃ及び空室ランプ３７Ｄを点灯させる。これにより、登録ユーザは、自らが「行先カード」で入力した行先が「空室」であることを把握し得る。
【００９０】
Ｓ１２４に移行すると、サーバＣＰＵ５２は、登録済信号送信処理を実行する。登録済信号は、制御信号の一つであり、取得行先データに係る行先の登録状況が「登録済」であることを示す。登録済信号送信処理（Ｓ１２４）では、サーバＣＰＵ５２は、サーバ通信装置５６を介して、当該登録済信号を行先設定装置３０に送信する。登録済信号送信処理（Ｓ１２４）を終了すると、サーバＣＰＵ５２は、行先状況確認処理プログラムを終了する。
【００９１】
登録済信号を受信すると、ＣＰＵ３２は、設定状況ランプ３７の点灯態様を制御する。即ち、登録状況報知処理（Ｓ３３）において、ＣＰＵ３２は、行先ランプ３７Ｃのみを点灯させる。これにより、登録ユーザは、自らが「行先カード」で入力した行先が「空室」でないことを把握し得る。即ち、登録ユーザは、自ら入力した行先を行先に登録している第三者が存在することを把握し得る。
【００９２】
続いて、適性判定登録処理（Ｓ１１２）で実行される適性判定登録処理プログラムについて、図面を参照しつつ詳細に説明する。図１６は、適性判定登録処理プログラムのフローチャートである。
【００９３】
適性判定登録処理（Ｓ１１２）に移行すると、サーバＣＰＵ５２は、適性要求取得処理を実行する（Ｓ１３１）。適性要求取得処理（Ｓ１３１）では、サーバＣＰＵ５２は、登録内容データに含まれる目的情報と、目的要求適性記憶エリア（図８参照）に基づいて、当該目的情報に係る目的が行先に要求する適性を取得する。処理結果をサーバＲＡＭ５４に格納すると、サーバＣＰＵ５２は、適性要求取得処理（Ｓ１３１）を終了する。その後、サーバＣＰＵ５２は、Ｓ１３２に処理を移行する。
【００９４】
Ｓ１３２においては、サーバＣＰＵ５２は、行先適性確認処理を実行する。行先適性確認処理（Ｓ１３２）では、サーバＣＰＵ５２は、先ず、登録内容データに含まれる行先特定情報と、行先適性記憶エリア（図７参照）に基づいて、当該行先特定情報に係る行先が有する適性を確認する。処理結果をサーバＲＡＭ５４に格納すると、サーバＣＰＵ５２は、行先適性確認処理（Ｓ１３２）を終了する。そして、サーバＣＰＵ５２は、Ｓ１３３に処理を移行する。
【００９５】
Ｓ１３３では、サーバＣＰＵ５２は、当該行先特定情報に係る行先が有する適性が目的情報に係る目的の適性要求を満たすか否かを判断する。具体的には、サーバＣＰＵ５２は、適性要求取得処理（Ｓ１３１）の処理結果と、行先適性確認処理（Ｓ１３２）の処理結果に基づいて、Ｓ１３３の判断処理を実行する。目的情報に係る目的の適性要求を満たす場合（Ｓ１３３：ＹＥＳ）、サーバＣＰＵ５２は、Ｓ１３４に処理を移行する。一方、目的情報に係る目的の適性要求を満たさない場合（Ｓ１３３：ＮＯ）、サーバＣＰＵ５２は、Ｓ１３６に処理を移行する。
【００９６】
Ｓ１３４に移行すると、サーバＣＰＵ５２は、データベース更新処理を実行する。データベース更新処理（Ｓ１３４）では、サーバＣＰＵ５２は、登録内容データに含まれる個人識別情報、行先特定情報、目的情報に基づいて、行先登録データベース５５における個人識別情報に係る登録ユーザの行先を更新する。この時、サーバＣＰＵ５２は、行先登録データベース５５における当該登録ユーザの行先へ向かう目的も更新する。これにより、登録ユーザが希望する登録内容（行先及び目的）は、行先登録データベース５５に登録される。データベース更新処理（Ｓ１３４）を終了すると、サーバＣＰＵ５２は、Ｓ１３５に処理を移行する。
【００９７】
Ｓ１３５においては、サーバＣＰＵ５２は、登録信号送信処理を実行する。登録信号送信処理（Ｓ１３５）では、サーバＣＰＵ５２は、データベース更新処理（Ｓ１３４）の実行に伴い、登録信号を行先設定装置３０に送信する。登録信号は、登録内容データに基づく登録に成功したことを示す制御信号である。登録信号を送信した後、サーバＣＰＵ５２は、適性判定登録処理プログラムを終了する。
【００９８】
登録信号を受信すると、行先設定装置３０のＣＰＵ３２は、設定状況ランプ３７の点灯態様を制御し、登録内容データに基づく登録に成功したことを登録ユーザに報知する。具体的には、ＣＰＵ３２は、登録ランプ３７Ｆを点灯させる（図１３参照）。これにより、登録ユーザは、所望の内容が行先登録データベース５５に登録されたことを確実に把握し得る。
【００９９】
Ｓ１３６では、サーバＣＰＵ５２は、行先設定エラー信号送信処理を実行する。Ｓ１３６に移行する場合は、行先特定情報に係る行先の適性が目的情報に係る目的の適性要求を満たしていない場合である。即ち、登録ユーザの目的に適していない行先を登録しようとしている場合である。従って、行先設定エラー信号送信処理（Ｓ１３６）では、サーバＣＰＵ５２は、行先設定エラー信号を行先設定装置３０に送信する。この場合における行先設定エラー信号は、登録内容データに基づく行先の登録に際し、行先特定情報に基づくエラー（即ち、行先特定情報に係る行先が目的に対して不適当であること）を示す。行先設定エラー信号を送信すると、サーバＣＰＵ５２は、適性判定登録処理プログラムを終了する。
【０１００】
当該行先設定エラー信号を受信すると、行先設定装置３０のＣＰＵ３２は、設定状況ランプ３７の点灯態様を制御し、行先特定情報に関するエラーが生じていることを登録ユーザに報知する。具体的には、ＣＰＵ３２は、行先ランプ３７Ｃと登録ランプ３７Ｆを点滅させる。これにより、登録ユーザは、行先特定情報の再入力等の適切な措置を行い得る。
【０１０１】
次に、会議招集行先登録処理（Ｓ１１１）で実行される会議招集行先登録処理プログラムについて、図面を参照しつつ詳細に説明する。図１７は、会議招集行先登録処理プログラムのフローチャートである。
【０１０２】
会議招集行先登録処理（Ｓ１１１）に移行すると、サーバＣＰＵ５２は、行先登録参照処理を実行する（Ｓ１４１）。行先登録参照処理（Ｓ１４１）では、サーバＣＰＵ５２は、登録内容データに含まれる行先特定情報と、行先適性記憶エリア（図７参照）に基づいて、当該行先特定情報が示す行先を特定する。そして、サーバＣＰＵ５２は、行先登録データベース５５を参照し、特定された行先の登録状況を確認する。行先登録参照処理（Ｓ１４１）を終了すると、サーバＣＰＵ５２は、Ｓ１４２に処理を移行する。
【０１０３】
Ｓ１４２においては、サーバＣＰＵ５２は、登録内容データにおける行先特定情報に係る行先の登録状況が空室であるか否かを判断する。具体的には、サーバＣＰＵ５２は、行先登録参照処理（Ｓ１４１）の処理結果に基づいて、Ｓ１４２の判断処理を行う。当該行先特定情報に係る行先の登録状況が「空室」である場合（Ｓ１４２：ＹＥＳ）、サーバＣＰＵ５２は、Ｓ１４３に処理を移行する。一方、当該行先特定データに係る行先の登録状況が「登録済」である場合（Ｓ１４２：ＮＯ）、サーバＣＰＵ５２は、Ｓ４５に処理を移行する。
【０１０４】
Ｓ１４３では、サーバＣＰＵ５２は、データベース更新処理を実行する。データベース更新処理（Ｓ１４３）では、サーバＣＰＵ５２は、登録内容データに含まれる個人識別情報、行先特定情報、目的情報に基づいて、行先登録データベース５５における個人識別情報に係る登録ユーザの行先を更新する。この時、サーバＣＰＵ５２は、行先登録データベース５５における当該登録ユーザの行先へ向かう目的も「会議招集」に更新する。これにより、登録ユーザが希望する登録内容（行先及び目的）は、行先登録データベース５５に登録される。データベース更新処理（Ｓ１４３）を終了すると、サーバＣＰＵ５２は、Ｓ１４４に処理を移行する。
【０１０５】
Ｓ１４４に移行すると、サーバＣＰＵ５２は、登録信号送信処理を実行する。登録信号送信処理（Ｓ１４４）では、サーバＣＰＵ５２は、データベース更新処理（Ｓ１４３）の実行に伴い、登録信号を行先設定装置３０に送信する。登録信号は、登録内容データに基づく登録に成功したことを示す制御信号である。登録信号を送信した後、サーバＣＰＵ５２は、会議招集行先登録処理プログラムを終了する。
【０１０６】
登録信号を受信すると、行先設定装置３０のＣＰＵ３２は、設定状況ランプ３７の点灯態様を制御し、登録内容データに基づく登録に成功したことを登録ユーザに報知する。具体的には、ＣＰＵ３２は、登録ランプ３７Ｆを点灯させる（図１３参照）。これにより、登録ユーザは、所望の内容が行先登録データベース５５に登録されたことを確実に把握し得る。
【０１０７】
Ｓ１４５においては、サーバＣＰＵ５２は、行先設定エラー信号送信処理を実行する。行先設定エラー信号送信処理（Ｓ１４５）では、サーバＣＰＵ５２は、行先設定エラー信号を行先設定装置３０に送信する。この場合における行先設定エラー信号は、登録内容データに基づく行先の登録に際し、行先特定情報に基づくエラー（即ち、行先特定情報に係る行先が登録済であること）を示す。行先設定エラー信号を送信すると、サーバＣＰＵ５２は、会議招集行先登録処理プログラムを終了する。
【０１０８】
当該行先設定エラー信号を受信すると、行先設定装置３０のＣＰＵ３２は、設定状況ランプ３７の点灯態様を制御し、行先特定情報に関するエラーが生じていることを登録ユーザに報知する。具体的には、ＣＰＵ３２は、行先ランプ３７Ｃと登録ランプ３７Ｆを点滅させる。これにより、登録ユーザは、行先特定情報の再入力等の適切な措置を行い得る。
【０１０９】
以上、説明したように、本実施形態に係る行先設定システム１は、行先設定装置３０と、サーバ５０を備えている。行先設定装置３０は、無線タグリーダ３５により、設定内容入力カード８０の無線タグ８１に格納されている情報を取得し（Ｓ３）、ＲＡＭ３４に格納する。そして、「登録カード」の無線タグ８１から情報を取得すると、行先設定装置３０は、通信装置３６を介して、登録内容データをサーバ５０に送信する（Ｓ２１）。登録内容データは、個人識別情報、行先特定情報、目的情報を含み得る。
この場合に登録内容データを受信すると、サーバ５０は、当該登録内容データを行先登録データベース５５に登録し得る。行先登録データベース５５には、各登録ユーザの行先や目的を登録し得る。従って、ユーザは、行先設定システム１を構成するパーソナルコンピュータ７０を利用して、行先登録データベース５５の内容を参照することにより、各登録ユーザの行先等を把握し得る。
【０１１０】
当該行先設定システム１は、ＲＡＭ３４に行先特定情報を格納すると、当該行先特定情報に係る行先について、行先登録データベース５５における登録状況（「空室」又は「登録済」）を確認する（Ｓ１８、Ｓ１０２）。その後、行先設定システム１は、行先登録データベース５５における当該行先の登録状況を、設定状況ランプ３７の点灯態様により、登録ユーザに報知する（Ｓ３３、Ｓ１２３、Ｓ１２４）。従って、当該行先設定システム１によれば、登録ユーザは、設定状況ランプ３７の点灯態様による報知に基づいて、自らが所望する行先の登録状況を把握することができる。この結果、登録ユーザは、所望の行先の登録状況に応じて、行先の変更等の適切な措置を講じることができる。
【０１１１】
そして、行先設定システム１は、「会議招集」を示す目的情報と、「行先カード」から取得した行先特定情報を含む登録内容データを登録する場合、行先登録データベース５５における当該行先の登録状況（「空室」又は「登録済」）を確認する（Ｓ１４１）。そして、行先設定システム１は、行先登録データベース５５における当該行先特定情報に係る行先の登録状況が「空室」である場合にのみ（Ｓ１４２：ＹＥＳ）、個人識別情報が示す個人の行先として、当該行先特定情報により特定される行先を行先登録データベース５５に登録する（Ｓ１４３）。
従って、当該行先設定システム１は、目的情報が「会議招集」である場合には、行先の登録状況が「空室」であるときのみ、個人の行先として当該行先を登録する。即ち、行先設定システム１は、この場合における行先の重複登録を防止し得る。
【０１１２】
更に、行先設定システム１は、個人識別情報、行先特定情報、目的情報を含む登録内容データを行先登録データベース５５に登録しようとする場合、行先特定情報に係る行先が有する適性と、目的情報に係る目的の適性要求に基づいて、当該行先の目的に対する適性を判断する（Ｓ１３１〜Ｓ１３３）。そして、当該行先設定システム１は、当該行先の適性が当該目的の適性要求を満たす場合に（Ｓ１３３：ＹＥＳ）、登録内容データの内容を行先登録データベース５５に登録する（Ｓ１３４）。従って、登録ユーザは、目的情報に係る目的を達成し得る行先を、自己の行先として登録し得る。つまり、登録ユーザは、目的に対して適切な行先を把握し、行先登録データベース５５に登録し得る。
一方、当該行先の適性が当該目的の適性要求を満たさない場合（Ｓ１３３：ＮＯ）、行先設定システム１は、設定状況ランプ３７の点灯態様により、当該行先特定情報に係る行先が不適当である旨を報知する（Ｓ２５、Ｓ１３６）。従って、登録ユーザは、目的に対応する行先へ変更する等、適切な措置をとることができる。
【０１１３】
以上、実施形態に基づき本発明を説明したが、本発明は上述した実施形態に何ら限定されるものではなく、本発明の趣旨を逸脱しない範囲内で種々の改良変更が可能である。
例えば、設定内容入力カード８０は、上述の５種類に限定するものではない。例えば、ＲＡＭ３４に格納されている情報（例えば、行先特定情報）を消去する「消去カード」や、ＲＡＭ３４に格納されている情報（例えば、目的情報）を変更する「変更カード」等を追加することも可能である。
【０１１４】
又、設定状況ランプ３７は、上記６種類である必要である必要はなく、登録状況等を報知することができれば、種々の方式を採用し得る。例えば、空室ランプ３７Ｄが存在しない構成とすることも可能である。この場合には、「空室であること」は、行先ランプ３７Ｃと目的ランプ３７Ｅを同時に点灯させることで表現すればよい。
【０１１５】
そして、登録状況の報知は、設定状況ランプ３７の点灯態様による報知に限定されるものではない。例えば、行先設定装置３０に液晶ディスプレイ等の表示装置を設け、当該表示装置の表示により報知を行ってもよい。又、行先設定装置３０にスピーカを配設し、音声により報知するように構成することも可能である。
【０１１６】
更に、行先設定システム１における行先の登録状況の判断は、上記実施形態における態様に限定されるものではない。例えば、行先設定システム１と、公知の施設予約システムを連動させ、所定時刻における当該行先の予約状況に応じて、上記登録状況の判断を行う構成としてもよい。又、行先として設定し得る各施設（例えば、４０１会議室等）に入退室管理システムを導入し、行先設定システム１と当該入退室管理システムを連動してリアルタイムに空室か否かを判断するように構成することも可能である。
【図面の簡単な説明】
【０１１７】
【図１】本実施形態に係る行先設定システムの概略構成を示す説明図である。
【図２】本実施形態に係る行先設定システムを構成する行先設定装置の説明図である。
【図３】本実施形態に係る設定内容入力カードの一例を示す説明図である。
【図４】本実施形態に係る行先設定システムの制御系を示すブロック図である。
【図５】行先登録データベースの登録内容の一例を示す説明図である。
【図６】行先登録データベースにおける個人特定記憶エリアの記憶内容の一例を示す説明図である。
【図７】行先登録データベースにおける行先適性記憶エリアの記憶内容の一例を示す説明図である。
【図８】行先登録データベースにおける目的要求適性記憶エリアの記憶内容の一例を示す説明図である。
【図９】本実施形態に係る行先設定装置のメイン制御プログラムのフローチャートである。
【図１０】本実施形態に係るカード処理プログラムのフローチャートである。
【図１１】本実施形態に係る登録カード処理プログラムのフローチャートである。
【図１２】本実施形態に係る行先設定処理プログラムのフローチャートである。
【図１３】本実施形態に係る行先設定装置における設定状況ランプの点灯態様を示す説明図である。
【図１４】本実施形態に係るサーバのメイン制御プログラムのフローチャートである。
【図１５】本実施形態に係る行先状況確認処理プログラムのフローチャートである。
【図１６】本実施形態に係る適性判定登録処理プログラムのフローチャートである。
【図１７】本実施形態に係る会議招集行先登録処理プログラムのフローチャートである。
【符号の説明】
【０１１８】
１  行先設定システム
３０  行先設定装置
３１  コントローラ
３２  ＣＰＵ
３３  ＲＯＭ
３４  ＲＡＭ
３５  無線タグリーダ
３６  通信装置
３７  設定状況ランプ
５０  サーバ
５１  サーバコントローラ
５２  サーバＣＰＵ
５３  サーバＲＯＭ
５４  サーバＲＡＭ
５５  行先登録データベース
５６  サーバ通信装置
８０  設定内容入力カード
８１  無線タグ
【図１】
2010055190.tif 000003
【図２】
2010055190.tif 000004
【図３】
2010055190.tif 000005
【図４】
2010055190.tif 000006
【図５】
2010055190.tif 000007
【図６】
2010055190.tif 000008
【図７】
2010055190.tif 000009
【図８】
2010055190.tif 000010
【図９】
2010055190.tif 000011
【図１０】
2010055190.tif 000012
【図１１】
2010055190.tif 000013
【図１２】
2010055190.tif 000014
【図１３】
2010055190.tif 000015
【図１４】
2010055190.tif 000016
【図１５】
2010055190.tif 000017
【図１６】
2010055190.tif 000018
【図１７】
2010055190.tif 000019